(57)【特許請求の範囲】
【請求項１】
硬質材料で形成された外容器と、この外容器の内側に収容され柔軟な材料で形成された収縮可能な密封袋状の内容器と、この内容器に収容された内容物をポンプアップするポンプ機構と備えたポンプ付き容器において、
前記外容器は、上部を開口する有底円筒状で、上部内周面に段差部を有し、かつ内容器は、上側が大径筒部で、下側が小径筒部とし、大径筒部を段差部上方の外容器内へ、かつ小径筒部21は段差部下方の外容器内へそれぞれ配置し、又大径筒部の内側に嵌着した固定用リングと外容器とで大径筒部を挟持させ更に前記内容器の小径筒部の周壁部には軸線方向に沿って延びる２本の溝が、互いに周方向に１８０度離間して設けられている
ことを特徴とするポンプ付き容器。
【請求項２】
上記小径筒部の底部に溝が形成されていて、この溝により上記周壁部の２つの溝が連結されている
ことを特徴とする請求項１に記載のポンプ付き容器。
【請求項３】
前記小径筒部の外径は、底部に接近するにしたがって漸次僅かに小径となっている
ことを特徴とする請求項１又は２記載のポンプ付き容器。
【発明の詳細な説明】
【０００１】
【発明の属する技術分野】
本発明は、内容物の減少に伴って袋状の内容器が収縮するタイプのポンプ付き容器に関するものである。
【０００２】
【従来の技術】
ポンプ付き容器には、硬質の外容器の内側に柔軟な袋状の内容器が収納され、外容器には内容器に収容された内容物をポンプアップするためのポンプ機構が取り付けられていて、内容物の減少に伴って内容器が収縮するようにされているものがある。
【０００３】
従来の内容器には特別な細工はされておらず、内容器の収縮は自然に任せている。
【０００４】
【発明が解決しようとする課題】
しかしながら、内容器の収縮を自然に任せると、収縮した時の内容器の折り畳まれ方が不規則になり、折り畳み具合によっては内容器の内面同士が密着して密閉空間が形成され、この密閉空間内の内容物がポンプアップできなくなることがあり、非常に不経済であった。
【０００５】
本発明はこのような従来の技術の問題点に鑑みてなされたものであり、内容器の折り畳み方が一意的に決定されるようにし、これによって内容物の使用不能量を殆どなくすようにしたポンプ付き容器を提供することを目的とする。
【０００６】
【課題を解決するための手段】
本発明は前記課題を解決するために、以下の手段を採用した。本発明は、硬質材料で形成された外容器と、この外容器の内側に収容され柔軟な材料で形成された収縮可能な密封袋状の内容器と、この内容器に収容された内容物をポンプアップするポンプ機構、とを備えたポンプ付き容器において、前記内容器の外周面に内方へ凹む溝が形成されていることを特徴とするポンプ付き容器である。
【０００７】
ポンプ機構はプランジャ型等が採用可能であるが、プランジャ型に限るものではない。
収縮可能な密閉袋状の内容器とは、ポンプ機構によって内容物をポンプアップした時に、内容物の減少に伴い内容器が収縮する構造の内容器をいう。
【０００８】
溝の断面形状には特に限定はなく、半円形や楔形等、種々の形状が採用可能である。溝は、内容器の軸線方向に沿って延びる形態に形成してもよいし、内容器の周方向に沿って延びる形態に形成してもよい。
【０００９】
又、溝を内容器の周方向に沿って延ばす場合には、前記内容器の外径を底部側に接近するにしたがって漸次小さくするのが好ましい。このようにすると、内容器の上方への折り畳みがスムーズに行われる。
【００１０】
〈本発明の原材料〉
本発明において、外容器と内容器の原材料に特に限定はないが、内容器については軟質樹脂フィルムが好適である。
【００１１】
〈本発明の作用〉
内容器内の内容物の減少に伴って内容器が収縮する。
溝を内容器の軸線方向に沿って形成した場合には、溝の近傍は溝によって補強され変形しにくくなっているので、内容器は初め溝から離間した部分が内容器の中心方向に収縮する。そして、ある程度まで収縮が進むと、溝及びその近傍も収縮変形する。
【００１２】
溝を内容器の周方向に沿って形成した場合には、初め溝以外の部分が内容器の上部側に引き上げられるように変形する。そして、ある程度まで収縮が進むと、溝部分も収縮変形する。
【００１３】
【発明の実施の形態】
以下、本発明の実施の形態を図１から図６の図面に基いて説明する。
【００１４】
〔第１の実施の形態〕
図１から図３の図面は本発明のポンプ付き容器の第１の実施の形態を示すものである。図１及び図２はポンプ付き容器の右半分を断面にして示す正面図であり、図１はポンプ機構を作動させていない状態を示し、図２はポンプアップ動作時を示している。図３（Ａ）は内容器の平面図、図３（Ｂ）は右半分を断面で示した内容器の正面図である。
【００１５】
ポンプ付き容器は、外容器１０と、内容器２０と、ポンプ機構３０と、カバーキャップ９０とを備えている。
外容器１０は硬質樹脂製で、上部を開口させた有底円筒状をなし、上部内周面に段差部１１を有している。
【００１６】
内容器２０は軟質樹脂フィルムを袋状に形成してなり、外容器１０の内側に収容されている。図３は外容器１０内に組み込む前の成形直後の内容器２０を示しており、図３（Ａ）は平面図、図３（Ｂ）は右半分を断面で示した正面図である。
【００１７】
内容器２０は、下側が有底の小径筒部２１になっており、上側が大径筒部２２になっていて、大径筒部２２の上端から環状のフランジ部２３が外方に張り出している。尚、フランジ部２３は内容器２０を成形する際にクランプ装置によってクランプされる部分であり、フランジ部２３は成形後に外容器１０に組み入れる前に除去される。
【００１８】
小径筒部２１の外径は底部に接近するにしたがって漸次僅かに小径になっている。又、小径筒部２１の周壁部には軸線方向に沿って延びる２本の溝２４が互いに周方向に１８０度離間して設けられている。溝２４は径方向内方に凹む略半円形状に形成されており、小径筒部２１の軸線方向の全長に亙って形成されている。
【００１９】
フランジ部２３を除去された内容器２０は、小径筒部２１を段差部１１の下側に配置し、大径筒部２２を段差部１１の上側に配置して外容器１０内にセットされ、大径筒部２２の内側に嵌着した固定用リング８０と外容器１０とで大径筒部２２を挟持されて、外容器１０に固定されている。この内容器２０内には乳液（図示せず）が充填されている。
【００２０】
前記固定用リング８０にポンプ機構３０が設置されている。
ポンプ機構３０は、固定用リング８０に液密に内嵌して内容器２０の上部開口を塞ぐ蓋３１を備えている。蓋３１は中央に吸込口３２を有し、吸込口３２は吸込弁３３によって開閉可能にされている。
【００２１】
蓋３１の上面からは吸込口３２を取り囲むようにシリンダ筒３４が起立しており、シリンダ筒３４の内側にはプランジャ３５と吐出弁３６が摺動可能に収納されている。吸込弁３３とシリンダ筒３４とプランジャ３５とにより囲まれた空間は圧力室３７になっていて、プランジャ３５の昇降により圧力室３７の容積が変化するようになっている。
【００２２】
プランジャ３５は筒状をなし、内部が乳液の通路３５ｃになっていて、外周面に貫通孔３５ａが設けられている。プランジャ３５の内部通路３５ｃは、貫通孔３５ａ、及びシリンダ筒３４とプランジャ３５との間に形成された通路３８を介して圧力室３７に連なっている。
【００２３】
前記吐出弁３６はプランジャ３５の昇降動作に従って通路３８を開閉する。即ち、プランジャ３５がシリンダ筒３４内を上昇する時に、図１に示すように吐出弁３６はプランジャ３５の弁座部３５ｂに着座して通路３８を閉鎖し、プランジャ３５がシリンダ筒３４内を下降する時に、図２に示すように吐出弁３６は弁座部３５ｂから離間して開弁し通路３８を開放する。
【００２４】
プランジャ３５の上端部には吐出ノズル４１を備えたポンプヘッド４０が固定されており、吐出ノズル４１はポンプヘッド４０内に設けられた通路４２を介してプランジャ３５の内部通路３５ｃに連通している。
【００２５】
プランジャ３５及びポンプヘッド４０は蓋３１との間に設けられたスプリング３９によって上方に付勢されている。
【００２６】
次に、このポンプ付き容器の作用を説明する。
ポンプヘッド４０をスプリング３９の弾性に抗して押し下げて、プランジャ３５を図２に示すように最下限位置に位置させる。この時、吐出弁３６は開状態になっている。
【００２７】
この状態からポンプヘッド４０をスプリング３９の弾性復元力によって上昇させると、上昇の途中でプランジャ３５の弁座部３５ｂが吐出弁３６に当接し、即ち吐出弁３６が弁座部３５ｂに着座して通路３８を閉塞する。この後、プランジャ３５は吐出弁３６で通路３８を閉塞しつつ上昇し、プランジャ３５の上昇によって圧力室３７が負圧になり、その結果、吸込弁３３が開弁して、内容器２０内の乳液が吸込口３２を通って圧力室３７内に吸い上げられる。
【００２８】
図１はプランジャ３５が最上限位置に達した状態を示しており、この位置で吸込弁３３は閉弁し、圧力室３７内は乳液で満たされる。尚、吐出弁３６は閉弁状態を維持している。
【００２９】
次に、ポンプヘッド４０をスプリング３９の弾性に抗して押し下げると、プランジャ３５がポンプヘッド４０とともに下降し、プランジャ３５の弁座部３５ｂが静止状態にある吐出弁３６から離間して通路３８を開放する。そして、通路３８が開放した状態でプランジャ３５が下降し、圧力室３７内の乳液が通路３８、貫通孔３５ａ、内部通路３５ｃ、通路４２を通って吐出ノズル４１から注出される。尚、プランジャ３５の下降動作の後半では、通路３８を開放しつつ吐出弁３６もプランジャ３５とともに下降する。
【００３０】
内容器２０は密閉袋であるため、内部に収容されている乳液の減少に伴って小径筒部２１が収縮していく。ところで、小径筒部２１の周壁部には溝２４が設けられており、溝２４の近傍はこの溝２４によって補強され変形しにくくなっている。そのため、小径筒部２１の収縮は溝２４から離間した部分から始まり、その部分が小径筒部２１の中心方向に凹んでいく。そして、溝２４から離間した部分の収縮がある程度進むと、溝２４及びその近傍の部分も収縮する。
【００３１】
このように内容器２０の小径筒部２１に溝２４を形成したことによって、乳液の減少に伴い小径筒部２１が常に一定の形態に折り畳まれて収縮するようになる。その結果、小径筒部２１の周壁部同士が密着して密閉空間を形成することがなくなり、内容器２０内の乳液を殆ど残らず使い切ることができる。
【００３２】
〔第２の実施の形態〕
図４は本発明のポンプ付き容器の第２の実施の形態における内容器２０を示すものであり、図４（Ａ）は平面図、図４（Ｂ）は右半分を断面で示した正面図である。
【００３３】
第２の実施の形態の内容器２０が第１の実施の形態のそれと相違する点は、小径筒部２１の底部に溝２５が形成されていて、この溝２５により周壁部の２つの溝２４が連結されているところにある。
【００３４】
内容器２０のその外の構成、及び、外容器１０、ポンプ機構３０の構成については、前記第１の実施の形態のものと同じであるので説明は省略する。
【００３５】
この第２の実施の形態の内容器２０では、小径筒部２１の底部についても溝２５の近傍が補強され変形しにくくなる。したがって、小径筒部２１の収縮は溝２４及び溝２５から離間した部分から始まり、その部分が小径筒部２１の中心方向に凹んでいく。そして、溝２４及び溝２５から離間した部分の収縮がある程度進むと、溝２４、溝２５及びこれらの近傍の部分も収縮する。
【００３６】
このように第２の実施の形態の場合も、内容器２０の小径筒部２１に溝２４、２５を形成したことによって、乳液の減少に伴い小径筒部２１が常に一定の形態に折り畳まれて収縮するようになる。その結果、小径筒部２１の周壁部同士が密着して密閉空間を形成することがなくなり、内容器２０内の乳液を殆ど残らず使い切ることができる。
【００３７】
〔第３の実施の形態〕
図５は本発明のポンプ付き容器の第３の実施の形態における内容器２０を示すものであり、図５（Ａ）は全体正面図、図５（Ｂ）は右半分の縦断面図である。
【００３８】
第３の実施の形態の内容器２０が第１の実施の形態のそれと相違する点は、小径筒部２１に形成された溝の形態にある。
第３の実施の形態の内容器２０の小径筒部２１には、断面半円形状をなし周方向に環状に延びる溝２６が複数形成されている。小径筒部２１は各溝２６間においては同一外径のストレート筒部２１ａに形成されているが、大径筒部２２側から底部側に位置するにしたがってストレート筒部２１ａの外径が漸次小さくなっている。
【００３９】
内容器２０のその外の構成、及び、外容器１０、ポンプ機構３０の構成については、前記第１の実施の形態のものと同じであるので説明は省略する。
【００４０】
この第３の実施の形態の内容器２０では、乳液の減少に伴って小径筒部２１が収縮する際に、初め溝２６以外の部分、即ちストレート筒部２１ａが上方（即ち大径筒部２２に接近する方向）に引き上げられるように変形する。そして、ストレート筒部２１ａの収縮がある程度まで進むと、溝２６の部分も収縮する。
【００４１】
この第３の実施の形態の場合も、内容器２０の小径筒部２１に溝２６を形成したことによって、乳液の減少に伴い小径筒部２１が常に一定の形態に折り畳まれて収縮するようになる。その結果、小径筒部２１の周壁部同士が密着して密閉空間を形成することがなくなり、内容器２０内の乳液を殆ど残らず使い切ることができる。
【００４２】
〔第４の実施の形態〕
図６は本発明のポンプ付き容器の第４の実施の形態における内容器２０を示すものであり、図６（Ａ）は全体正面図、図６（Ｂ）は右半分の縦断面図である。
【００４３】
第４の実施の形態の内容器２０が第１の実施の形態のそれと相違する点は、小径筒部２１に形成された溝の形態にある。
第４の実施の形態の内容器２０の小径筒部２１には、断面半円形状をなし周方向に螺旋状に延びる１本の溝２７が形成されている。小径筒部２１の外径は底部に接近するにしたがって漸次僅かに小径になっている。
【００４４】
内容器２０のその外の構成、及び、外容器１０、ポンプ機構３０の構成については、前記第１の実施の形態のものと同じであるので説明は省略する。
【００４５】
この第４の実施の形態の内容器２０では、乳液の減少に伴って小径筒部２１が収縮する際に、初め溝２７以外の部分が若干の捻れを伴いながら上方（即ち大径筒部２２に接近する方向）に引き上げられるように変形する。そして、溝２７以外の部分の収縮がある程度まで進むと、溝２７の部分も収縮する。
【００４６】
この第４の実施の形態の場合も、内容器２０の小径筒部２１に溝２７を形成したことによって、乳液の減少に伴い小径筒部２１が常に一定の形態に折り畳まれて収縮するようになる。その結果、小径筒部２１の周壁部同士が密着して密閉空間を形成することがなくなり、内容器２０内の乳液を殆ど残らず使い切ることができる。
【００４７】
【発明の効果】
以上説明したように、本発明によれば、内容器に溝を設けたことによって、内容物の減少に伴い内容器が常に一定の形態に折り畳まれて収縮するようになり、その結果、内容器の内面同士が密着して密閉空間を形成することがなくなり、内容物を殆ど残らず使い切ることができるという優れた効果が奏される。
【図面の簡単な説明】
【図１】本発明の第１の実施の形態のポンプ付き容器の右半分を断面にして示す正面図であり、ポンプ機構を作動させていない状態を示す図である。
【図２】本発明の第１の実施の形態のポンプ付き容器の右半分を断面にして示す正面図であり、ポンプ機構のポンプアップ動作時を示す図である。
【図３】本発明の第１の実施の形態のポンプ付き容器に使用される内容器を示す図であり、（Ａ）は平面図、（Ｂ）は右半分を断面で示した正面図である。
【図４】本発明の第２の実施の形態のポンプ付き容器における内容器を示す図であり、（Ａ）は平面図、（Ｂ）は右半分を断面で示した正面図である。
【図５】本発明の第３の実施の形態のポンプ付き容器における内容器を示す図であり、（Ａ）は全体正面図、（Ｂ）は右半分の縦断面図である。
【図６】本発明の第４の実施の形態のポンプ付き容器における内容器を示す図であり、（Ａ）は全体正面図、（Ｂ）は右半分の縦断面図である。
【符号の説明】
１０  外容器
２０  内容器
２４、２５、２６、２７  溝
３０  ポンプ機構
【図１】
0003544040.tif 000002
【図２】
0003544040.tif 000003
【図３】
0003544040.tif 000004
【図４】
0003544040.tif 000005
【図５】
0003544040.tif 000006
【図６】
0003544040.tif 000007